(57)【特許請求の範囲】
【請求項１】
フィラー等の閉塞部材の支持部材を、縦框または柱材等の方立Ａの長手方向に沿って形成した収容部に突出方向に対して進退自在に収容し、前記閉塞部材の突出量を調整する閉塞操作具を当該支持部材に連結して設けた引戸Ｂの隙間閉塞装置において、閉塞操作具のケーシング内に枢支されて回転する操作ギヤとこのギヤに噛合して回転する作動ギヤの中心部に形成された螺子孔に螺合し、且、回転規制された摺動ネジに互いに平行な連結片を有する連結部を形成し、前記フィラー等の閉塞部材の支持部材に形成された連結部材を該摺動ネジの連結部の平行な連結片間に嵌着固定したことを特徴とする引戸の隙間閉塞装置。
【請求項２】
請求項１記載の閉塞操作具の摺動ネジの連結部は、摺動ネジの最大締め状態において、ケーシングの表面板によって隠れる状態になっていることを特徴とする引戸の隙間閉塞装置。
【発明の詳細な説明】
【技術分野】
【０００１】  本発明は、方立と引戸間の隙間から光漏れ等を防止する効果即ち遮蔽効果を奏し得る引戸の隙間閉塞装置に関するものである。
【背景技術】
【０００２】
【特許文献１】  特開２０１１−１３２６８７号公報
【特許文献２】  特許第４４８７４０８号公報
【発明の開示】
【発明が解決しようとする課題】
【０００３】  一般に、建物の窓などに設けられる引戸枠には、引戸枠の開口部と壁部との仕切り部分に、いわゆる引戸の中方立構造が上下方向に配設されているが、このような中方立構造として、特開２０１１−１３２６８７号公報や特許第４４８７４０８号公報等に記載されているが、引戸に対向する側に開口する収納溝が上下方向に沿って形成された中方立部材と、この中方立部材の収納溝に出没可能に収納される引戸の隙間閉塞装置とを備えたものが種々開発されている。【０００４】  従来の引戸の隙間閉塞装置として、フィラーやモヘア等の隙間閉塞部材をカム機構や、ラックとピニオンによる変換機構を使用して回転運動を直線運動に変換して左右方向に移動させることによって中方立部材と引戸の間の隙間を閉塞するようにしたものがある。【０００５】  特開２０１１−１３２６８７公報に記載される引戸の隙間閉塞装置は、閉塞部材の突出量を調整する調整機構を支持部材に連結して設け、作動部を第１カム部材と、第２カム部材との組合せにより構成して、第１カム部材を回動させることにより第２カム部材を直線運動させて、第２カム部材に連結した支持部材を突出方向へ進退自在に構成していることを特徴とするものであった。【０００６】  然しながら、この引戸の隙間閉塞装置にあっては、部品点数が多くて、構造が複雑であるだけでなく、中方立部材への取り付け作業が困難であり、引戸の開閉の都度の衝撃でカム部材が不測に回転して閉塞部材の突出量が変化して隙間閉塞効果が低下するという問題点があった。
【発明の目的】
【０００７】  本発明の目的は、構造簡単にして取り付け容易で、衝撃によっても狂うことなく隙間閉塞効果を維持することができる引戸の隙間閉塞装置を提供することにある。
【課題を解決するための手段】
【０００８】  本発明に係る引戸の隙間閉塞装置は、フィラー等の閉塞部材の支持部材を、縦框または柱材等の方立Ａの長手方向に沿って形成した収容部に突出方向に対して進退自在に収容し、前記閉塞部材の突出量を調整する閉塞操作具を当該支持部材に連結して設けた引戸Ｂの隙間閉塞装置において、閉塞操作具のケーシング内に枢支されて回転する操作ギヤとこのギヤに噛合して回転する作動ギヤの中心部に形成された螺子孔に螺合し、且、回転規制された摺動ネジに互いに平行な連結片を有する連結部を形成し、前記フィラー等の閉塞部材の支持部材に形成された連結部材を該摺動ネジの連結部の平行な連結片間に嵌着固定したことを特徴とするものである。
【発明の作用】
【０００９】  本発明に係る引戸の隙間閉塞装置は、操作ギヤを前後方向に回転することによりこの操作ギヤに噛合する非回転の作動ギヤが左右摺動して作動ギヤの連結部に嵌着固定される連結部材を介してフィラー等の閉塞部材が左右移動して中方立部材と引戸の間の隙間を閉塞する。
【実施例】
【００１０】  図１は、本発明の引戸の隙間閉塞装置を構成する閉塞操作具の斜視図、図２は、図１の縦断側面図、図３は、同装置の方立へ取り付け状態を表す斜視図、図４は、閉塞操作具への摺動ネジの装着方法を示す拡大断面図、図５は同摺動ネジの装着状態を表す拡大断面図、図６は、同装置の方立への取り付け状態の斜視ず、図７は、方立と壁、引戸の関係を表す概略斜視図である。【００１１】  図１、２において、１は、本発明の引戸の隙間閉塞装置を構成する閉塞操作具であって、平面形状Ｌ字状のケーシング１−１内に操作ギヤ２が軸２−１にて枢支されており、図３のようにこのギヤに噛合する作動ギヤ３の中央の螺子孔３−１に摺動ネジ４が螺合されるようになっている。【００１２】  摺動ネジ４の頭部となる部分には、後述するフィラー等の閉塞部材の支持部材に形成された連結部材を嵌着するための連結部５が形成されており、この連結部５は互いに平行な連結片５−１、５−１を有しており、この連結片間に閉塞部材の連結部材が嵌着されるようになっている。【００１３】  この連結部５は、摺動ネジ４を最大に締めた状態で方立Ａに形成された孔Ａ−１に閉塞操作具１を嵌めこむ際に支障とならないようにケーシング１−１の表面板に隠れるような大きさで、閉塞部材の連結部材が弾性的に嵌着固定されるように割溝５−２が形成されている。【００１４】  ６は、フィラー等の長尺の閉塞部材であって、この閉塞部材６を支持する長尺の支持部材６−１には前記摺動ネジ４の連結部５の平行な連結片５−１、５−１間に嵌着固定される長尺の連結部材６−２が一体形成されている。【００１５】  本発明引戸の取付方法並びに作動状態を説明すれば、先ず、方立Ａに形成された孔に閉塞操作具１を嵌め込むのであるが、このときには摺動ネジ４を最大に締めた状態にして連結部５が閉塞操作具１のケーシング１−１の表面板よりも内側となる状態に位置しているので、閉塞操作具１の方立Ａへの取り付けが簡単に行える。【００１６】  次いで、閉塞部材６の支持部材６−１を閉塞操作具１方向に押し込んで摺動ネジ４の連結部５の連結片５−１、５−１間に連結部材６−２を嵌着固定することによって閉塞操作具１及び閉塞部材６が方立Ａを介して一体化される。【００１７】  この閉塞操作具１及び閉塞部材６が方立Ａを介して一体化された状態において、操作ギヤ２を指で回転させてこの操作ギヤ２に噛合する作動ギヤ３を回転させると、摺動ネジ４はそれ自体回転規制されているので、螺子孔３−１のピッチに押されて左右摺動するため、操作ギヤ２の回転方向、回転量を調節して閉塞部材６の突出量を調節すればよいものである。
【発明の効果】
【００１８】  本発明に係る引戸の隙間閉塞装置によれば、フィラー等の閉塞部材の支持部材を、縦框または柱材等の方立Ａの長手方向に沿って形成した収容部に突出方向に対して進退自在に収容し、前記閉塞部材の突出量を調整する閉塞操作具を当該支持部材に連結して設けた引戸Ｂの隙間閉塞装置において、閉塞操作具のケーシング内に枢支されて回転する操作ギヤとこのギヤに噛合して回転する作動ギヤの中心部に形成された螺子孔に螺合し、且、回転規制された摺動ネジに互いに平行な連結片を有する連結部を形成し、前記フィラー等の閉塞部材の支持部材に形成された連結部材を該摺動ネジの連結部の平行な連結片間に嵌着固定したものであるから、部品点数は従来品に比べて少なく、また、構造は極めて簡単でありながら中方立部材への取り付け作業が容易であり、引戸の開閉の際に極めて大きな衝撃が加わっても従来装置のように操作部材が不測に回転して閉塞部材の突出量が変化して隙間閉塞効果が低下するというようなことがないものである。
【図面の簡単な説明】
【００１８】
【図１】  本発明の引戸の隙間閉塞装置を構成する閉塞操作具の斜視図である。
【図２】  図１の縦断側面図である。
【図３】  装置の方立へ取り付け状態を表す斜視図である。
【図４】  閉塞操作具への摺動ネジの装着方法を示す拡大断面図である。
【図５】  同摺動ネジの装着状態を表す拡大断面図である。
【図６】  同装置の方立への取り付け状態の斜視図である。
【図７】  方立と壁、引戸の関係を表す概略斜視図である。
【符号の説明】
【００１９】    １          閉塞操作具
２          操作ギヤ
３          作動ギヤ
４          摺動ネジ
５          連結部材
６          閉塞部材
【要約】
【課題】構造簡単にして取り付け容易で、衝撃によっても狂うことなく隙間閉塞効果を維持することができる引戸の隙間閉塞装置を提供すること。
【解決手段】フィラー等の閉塞部材の支持部材を、縦框または柱材等の方立Ａの長手方向に沿って形成した収容部に突出方向に対して進退自在に収容し、前記閉塞部材の突出量を調整する閉塞操作具を当該支持部材に連結して設けた引戸Ｂの隙間閉塞装置において、閉塞操作具のケーシング内に枢支されて回転する操作ギヤとこのギヤに噛合して回転する作動ギヤの中心部に形成された螺子孔に螺合し、且、回転規制された摺動ネジに互いに平行な連結片を有する連結部を形成し、前記フィラー等の閉塞部材の支持部材に形成された連結部材を該摺動ネジの連結部の平行な連結片間に嵌着固定したことを特徴とする。
【選択図】図１【図１】
0005601625.tif 000002
【図２】
0005601625.tif 000003
【図３】
0005601625.tif 000004
【図４】
0005601625.tif 000005
【図５】
0005601625.tif 000006
【図６】
0005601625.tif 000007
【図７】
0005601625.tif 000008